(57)【要約】【課題】電子機器に対応する特性を有するバッテリー装置を適切に装着でき小型化および操作性の向上を図る上で有利なバッテリー装置および電子機器を提供する。【解決手段】バッテリー装置１００の識別部１８はバッテリー装置１００の特性を識別するためのもので、端面１０２２でバッテリー側端子１４の前記幅方向Ｗの両側部の箇所に設けられている。識別部１８は端面１０２２に開放状に形成された識別用凹部１８０２、１８０４で構成され、端面１０２２上における識別用凹部１８０２、１８０４の位置や、断面形状あるいは長さの寸法の少なくとも１つがバッテリー装置１００の特性に基づいて形成されている。識別部１８は識別用凹部１８０２の断面形状および長さの寸法がバッテリー装置１００の特性に基づいて形成されている。【選択図】        図１
2005190943.tif 000002
【特許請求の範囲】
【請求項１】
幅と厚さと長さを有するケースと、前記ケースの内部に設けられた充電池部と、前記ケースの長さ方向の一方の端部に位置する端面に設けられ前記充電池部に接続されたバッテリー側端子とを備え、電子機器のバッテリー装着部の装着面に前記ケースの厚さ方向の一方に位置する底面を合わせ前記ケースの長さ方向に該ケースをスライドさせることで装着され前記バッテリー側端子が前記バッテリー装着部の装着部側端子に接触されるバッテリー装置であって、
前記バッテリー側端子は前記端面に設けられ、
前記端面で前記バッテリー側端子の前記幅方向の側部の箇所に該バッテリー装置の特性を識別するための識別部が設けられ、
前記識別部は前記端面に開放状に形成された識別用凹部で構成され、
前記識別用凹部の位置または断面形状または長さの寸法の少なくとも１つは前記バッテリー装置の特性に基づいて形成されている、
ことを特徴とするバッテリー装置。
【請求項２】
前記識別用凹部は前記バッテリー側端子の前記幅方向の両側に設けられていることを特徴とする請求項１記載のバッテリー装置。
【請求項３】
前記識別用凹部は前記底面寄りの箇所に設けられていることを特徴とする請求項１記載のバッテリー装置。
【請求項４】
前記識別用凹部は前記底面に開放状に形成されていることを特徴とする請求項１記載のバッテリー装置。
【請求項５】
前記ケースの幅方向両側で前記底面寄りの箇所には前記バッテリー装着部の係止爪が挿入される凹部が形成されており、前記凹部に近接する前記識別用凹部の部分は前記底面から離れるにつれてバッテリー側端子に近づく傾斜面で形成されていることを特徴とする請求項１記載のバッテリー装置。
【請求項６】
前記バッテリー側端子は前記ケースの端面の前記幅方向のほぼ中央に設けられていることを特徴とする請求項1記載のバッテリー装置。
【請求項７】
前記バッテリー装置の特性は、該バッテリー装置の容量、適切な充電電流の値、急速充電が可能か否かを示す情報の少なくとも１つを含むものであることを特徴とする請求項1記載のバッテリー装置。
【請求項８】
バッテリー装置が装脱可能に装着されるバッテリー装着部を有する電子機器であって、
前記バッテリー装置は、幅と厚さと長さを有するケースと、前記ケースの内部に設けられた充電池部と、前記ケースの長さ方向の一方の端部に位置する端面に設けられ前記充電池部に接続されたバッテリー側端子とを備え、
前記バッテリー側端子は前記端面に設けられ、
前記端面で前記バッテリー側端子の前記幅方向の側部の箇所に該バッテリー装置の特性を識別するための識別部が設けられ、
前記識別部は前記端面に開放状に形成された識別用凹部で構成され、
前記識別用凹部の位置または断面形状または長さの寸法の少なくとも１つは前記バッテリー装置の特性に基づいて形成され、
前記バッテリー装着部には、該バッテリー装着部の装着面に前記ケースの厚さ方向の一方に位置する底面を合わせ前記ケースの長さ方向に該ケースをスライドさせることで前記バッテリー装置が装着された状態で、前記バッテリー側端子に接続する装着部側端子と、前記電子機器に使用可能な特性の前記バッテリー装置の識別用凹部に挿入される識別用凸部とが設けられている、
ことを特徴とする電子機器。
【請求項９】
前記識別用凹部は前記バッテリー側端子の前記幅方向の両側に設けられていることを特徴とする請求項８記載の電子機器。
【請求項１０】
前記識別用凸部は前記装着面寄りの箇所に設けられていることを特徴とする請求項８記載の電子機器。
【請求項１１】
前記識別用凸部が前記装着面に臨む箇所は装着面に接続されていることを特徴とする請求項８記載の電子機器。
【請求項１２】
前記バッテリー側端子は前記ケースの端面の前記幅方向のほぼ中央に設けられていることを特徴とする請求項８記載の電子機器。
【請求項１３】
前記バッテリー装置の特性は、該バッテリー装置の容量、適切な充電電流の値、急速充電が可能か否かを示す情報の少なくとも１つを含むものであることを特徴とする請求項８記載の電子機器。
【請求項１４】
バッテリー装置が装脱可能に装着されるバッテリー装着部を有する電子機器であって、
前記バッテリー装置は、幅と厚さと長さを有するケースと、前記ケースの内部に設けられた充電池部と、前記ケースの長さ方向の一方の端部に位置する端面に設けられ前記充電池部に接続されたバッテリー側端子とを備え、
前記バッテリー側端子は前記端面に設けられ、
前記端面で前記バッテリー側端子の前記幅方向の側部の箇所に該バッテリー装置の特性を識別するための識別部が設けられ、
前記識別部は前記端面に開放状に形成された識別用凹部で構成され、
前記識別用凹部の位置または断面形状または長さの寸法の少なくとも１つは前記バッテリー装置の特性に基づいて形成され、
前記バッテリー装着部には、該バッテリー装着部に前記バッテリー装置が装着された状態で、前記バッテリー側端子に接続する装着部側端子と、前記バッテリー装置の前記識別用凹部の位置または断面形状または長さの寸法の少なくとも１つを検出する検出手段が設けられ、
前記検出手段の検出結果に基づいて前記バッテリー装置の特性が判別されるように構成されている、
ことを特徴とする電子機器。
【請求項１５】
前記電子機器は前記バッテリー装置の充電池部に充電電流を供給して充電動作を行う充電部と、前記検出手段の検出結果に基づいて判別された前記バッテリー装置の特性に対応した充電動作がなされるように前記充電部を制御する制御部とを有することを特徴とする請求項１４記載の電子機器。
【請求項１６】
前記バッテリー装置の特性は、該バッテリー装置の容量、適切な充電電流の値、急速充電が可能か否かを示す情報の少なくとも１つを含むものであることを特徴とする請求項１４記載の電子機器。
【発明の詳細な説明】
【技術分野】
【０００１】
本発明はバッテリー装置およびバッテリー装置により動作する電子機器に関する。
【背景技術】
【０００２】
バッテリー装置と、該バッテリー装置が装着されるバッテリー装着部を有しバッテリー装置から供給される電源によって動作する電子機器が提供されている(例えば特許文献１参照)。
電子機器にバッテリー装置を装着して使用する場合、電子機器の消費電流などに対応した適切な容量のバッテリー装置を電子機器に装着することが必要となる。したがって、適切な容量のバッテリー装置だけをバッテリー装着部に装着でき、そうでないバッテリー装置を装着できないようにすることが好ましい。
このため、従来は、例えば、電子機器のバッテリー装着部の装着面の中央付近に該装着面から外方に突出する凸部（凹部）を設けるとともに、前記装着面に臨むバッテリー装置の底面に該底面からバッテリー装置内方に窪む凹部（凸部）を設け、それら凸部と凹部が合致した場合にのみバッテリー装置の装着部に対する装着が許容され、合致しない場合にバッテリー装置のバッテリー装着部に対する装着が禁止されるようにしている（例えば特許文献２参照）。
また、バッテリー装置に充電を行なう電子機器としての充電器は、その特性（容量や適切な充電電流の値など）が異なる複数種類のバッテリー装置に対して適切な値の充電電流を設定して供給する必要があることから、例えば、充電電流の値を切り替えるスイッチを充電器に設け、ユーザーがバッテリー装置に応じてスイッチを操作している。
【特許文献１】特許公報第２５０８４４７号
【特許文献２】特許公報第３４２７９００号
【発明の開示】
【発明が解決しようとする課題】
【０００３】
しかしながら、バッテリー装置または電子機器の装着面や底面の中央付近に凹部を設けると、それら装着面や底面の中央付近には基板や電子部品が配置されているため、凹部の深さに応じてバッテリー装置または電子機器を大型化せざるを得ず、バッテリー装置や電子機器の小型化を図る上で不利があった。
また、充電器に充電電流を切り替えるスイッチを設けた場合には、ユーザーがバッテリー装置の特性に応じていちいちスイッチを操作しなくてはならず、操作性を向上する上で不利があった。
本発明はこのような事情に鑑みなされたものであり、その目的は、電子機器に対応する特性を有するバッテリー装置を適切に装着でき、小型化および操作性の向上を図る上で有利なバッテリー装置および電子機器を提供することにある。
また、本発明の目的は、電子機器がバッテリー装置の特性に応じて適切な動作を行うことができ使い勝手を高める上で有利な電子機器を提供することにある。
【課題を解決するための手段】
【０００４】
上述の目的を達成するため、本発明のバッテリー装置は、幅と厚さと長さを有するケースと、前記ケースの内部に設けられた充電池部と、前記ケースの長さ方向の一方の端部に位置する端面に設けられ前記充電池部に接続されたバッテリー側端子とを備え、電子機器のバッテリー装着部の装着面に前記ケースの厚さ方向の一方に位置する底面を合わせ前記ケースの長さ方向に該ケースをスライドさせることで装着され前記バッテリー側端子が前記バッテリー装着部の装着部側端子に接触されるバッテリー装置であって、前記バッテリー側端子は前記端面に設けられ、前記端面で前記バッテリー側端子の前記幅方向の側部の箇所に該バッテリー装置の特性を識別するための識別部が設けられ、前記識別部は前記端面に開放状に形成された識別用凹部で構成され、前記識別用凹部の位置または断面形状または長さの寸法の少なくとも１つは前記バッテリー装置の特性に基づいて形成されていることを特徴とする。
また、本発明の電子機器は、バッテリー装置が装脱可能に装着されるバッテリー装着部を有する電子機器であって、前記バッテリー装置は、幅と厚さと長さを有するケースと、前記ケースの内部に設けられた充電池部と、前記ケースの長さ方向の一方の端部に位置する端面に設けられ前記充電池部に接続されたバッテリー側端子とを備え、前記バッテリー側端子は前記端面に設けられ、前記端面で前記バッテリー側端子の前記幅方向の側部の箇所に該バッテリー装置の特性を識別するための識別部が設けられ、前記識別部は前記端面に開放状に形成された識別用凹部で構成され、前記識別用凹部の位置または断面形状または長さの寸法の少なくとも１つは前記バッテリー装置の特性に基づいて形成され、前記バッテリー装着部には、該バッテリー装着部の装着面に前記ケースの厚さ方向の一方に位置する底面を合わせ前記ケースの長さ方向に該ケースをスライドさせることで前記バッテリー装置が装着された状態で、前記バッテリー側端子に接続する装着部側端子と、前記電子機器に使用可能な特性の前記バッテリー装置の識別用凹部に挿入される識別用凸部とが設けられている特徴とする。
また、本発明の電子機器は、バッテリー装置が装脱可能に装着されるバッテリー装着部を有する電子機器であって、前記バッテリー装置は、幅と厚さと長さを有するケースと、前記ケースの内部に設けられた充電池部と、前記ケースの長さ方向の一方の端部に位置する端面に設けられ前記充電池部に接続されたバッテリー側端子とを備え、前記バッテリー側端子は前記端面に設けられ、前記端面で前記バッテリー側端子の前記幅方向の側部の箇所に該バッテリー装置の特性を識別するための識別部が設けられ、前記識別部は前記端面に開放状に形成された識別用凹部で構成され、前記識別用凹部の位置または断面形状または長さの寸法の少なくとも１つは前記バッテリー装置の特性に基づいて形成され、前記バッテリー装着部には、該バッテリー装着部に前記バッテリー装置が装着された状態で、前記バッテリー側端子に接続する装着部側端子と、前記バッテリー装置の前記識別用凹部の位置または断面形状または長さの寸法の少なくとも１つを検出する検出手段が設けられ、前記検出手段の検出結果に基づいて前記バッテリー装置の特性が判別されるように構成されていることを特徴とする。
【発明の効果】
【０００５】
そのため、本発明のバッテリー装置および電子機器によれば、電子機器に使用可能な特性のバッテリー装置のバッテリー装着部に対する装着は識別用凹部に識別用凸部が挿入されることで許容される。一方、電子機器に使用可能な特性を有しないバッテリー装置の識別用凹部は、識別用凸部が挿入されないため、電子機器に使用可能な特性を有しないバッテリー装置のバッテリー装着部に対する装着は識別用凹部に識別用凸部が挿入されないことで禁止される。このため、電子機器に対応する特性を有するバッテリー装置を適切に装着することができる。
また、バッテリー装置においては、ケースの長手方向の端部である端面の内側箇所でバッテリー側端子の幅方向の両側部分は、基板や電子部品が配置されていないデッドスペースとなっていることから、ケースの端面に識別用凹部を設けてもケースを大型化することはなく、したがってバッテリー装置の小型化を図る上での支障にはならない。
また、本発明のバッテリー装置によれば、電子機器のバッテリー装着部にバッテリー装置が装着されると、検出手段によってバッテリー装置の識別用凹部の位置または断面形状または長さの寸法の少なくとも１つが検出されるので、この検出結果に基づいてバッテリー装置の特性に対応する適切な充電動作を行うことができ、電子機器の使い勝手を高める上で有利となる。
【発明を実施するための最良の形態】
【０００６】
電子機器に対応する特性を有するバッテリー装置を適切に装着でき、小型化および操作性の向上を図るという目的を、バッテリー装置のバッテリー側端子の側部に識別部としての識別用凹部を設けるとともに、電子機器に識別用凹部を設けることで実現した。
また、電子機器の使い勝手を高めるという目的を、バッテリー装置の識別用凹部の位置または断面形状または長さの寸法の少なくとも１つに基づいてバッテリー装置の特性を判別する検出手段を設けることで実現した。
【実施例１】
【０００７】
次に本発明の実施例１について図面を参照して説明する。
本実施例では、本発明のバッテリー装置が電子機器としての撮像装置に装着されて使用される場合について説明する。
図１は実施例１のバッテリー装置を下方から見た斜視図、図２は実施例１のバッテリー装置の構成を示す分解斜視図である。
【０００８】
まず、バッテリー装置について説明する。
図１に示すように、バッテリー装置１００は、ケース１０と、ケース１０の内部に設けられた充電池部１２（図２参照）と、ケース１０の内部に設けられた制御回路基板１６と、ケース１０に設けられたバッテリー側端子１４と、識別部１８とを備えている。
【０００９】
図２に示すように、充電池部１２は、４つの円柱状の電池セル１２０２と、これら各電池セル１２０２の電極を接続する複数の配線部材１２０４と、各電池セル１２０２の側面の間に介在される保持部材１２０６とを有している。
制御回路基板１６は、各電池セル１２０２の電極と配線部材１２０４を介して接続されることで充電池部１２に取着されており、ＣＰＵ、ＲＡＭおよびＲＯＭ、インターフェースなどを含むマイクロコンピュータを有し、バッテリー側端子１４を介して外部の電子機器との間でデータ通信を行なうように構成されている。前記データ通信としては該バッテリー装置１４の特性（容量や適切な充電電流の値などを含む）を示す識別データの出力動作が含まれる。該識別データとしては、例えば、充電器に装着したときに急速充電が可能であるか否かを示すデータ、適正な充電電流の値、あるいは充電電流の上限値などを示すデータなどがある。
バッテリー側端子１４はケース１０の表面に設けられ、ケース１０の内部において制御回路基板１６に取着され各配線部材１２０４を介して電池セル１２０２の電極に導通され、該バッテリー端子１４を介して各電池セル１２０２から外部の電子機器に対する動作電流の供給、あるいは、充電器から各電池セル１２０２に対する充電電流の供給が行なわれるように構成されている。
なお、充電池部１２を構成する電池セル１２０２の数量および形状はバッテリー装置１００の特性によって異なることは勿論である。
【００１０】
次にケース１０の構成について詳細に説明する。
図３（Ａ）はバッテリー装置１００の平面図、（Ｂ）は（Ａ）のＢ矢視図、（Ｃ）は（Ａ）のＣ矢視図、（Ｄ）は（Ａ）のＤ矢視図、（Ｅ）は（Ｂ）のＥＥ線断面図である。図４（Ａ）はバッテリー装置１００の底面図、（Ｂ）は（Ａ）のＢ矢視図、（Ｃ）は（Ｂ）のＣＣ線断面図である。図５は図３（Ｃ）のＦ部拡大図、図６は識別部１８近傍の拡大斜視図である。
ケース１０は、幅方向Ｗの寸法が均一で長さ方向Ｌに延在する本体部１００２と、本体部１００２の幅方向Ｗの中央部で厚さ方向Ｈの一方に設けられ本体部１００２の幅よりも小さい寸法の均一幅で長さ方向Ｌに延在する底部１００４とを有している。
本実施例では、ケース１０は、本体部１００２の底部１００４寄り箇所および底部１００４を除いた第１の分割体と、本体部１００２の底部１００４寄り箇所および底部１００４を含む第２の分割体とで構成され、これら分割体が合わせ面１００５で合わされることで形成され、充電池部１２や制御回路基板１６はこれら分割体の内部に収容されている。
【００１１】
図２、図３、図４に示すように、ケース１０の幅方向Ｗの両側の箇所は互いに平行し長さ方向Ｌに延在する平坦な側面１００６として形成され、ケース１０の厚さ方向Ｈの一方の面は平坦な底面１００８として形成されている。本実施例では、本体部１００２の幅方向Ｗの両側の側面が前記側面１００６を構成し、底部１００４の底面が前記底面１００８を構成している。
幅方向Ｗ両側の底面１００８箇所には複数の係止片１０１２が、本実施例では３つの係止片１０１２Ａ、１０１２Ｂ、１０１２Ｃが長さ方向Ｌに間隔をおいて幅方向Ｗ外側に向かってそれぞれ突出形成されている。厚さ方向Ｈの一方の端部に位置する各係止片１０１２（１０１２Ａ、１０１２Ｂ、１０１２Ｃ）箇所は、底面１００８と同一面上に位置する底面として形成され、厚さ方向Ｈの他方の端部に位置する各係止片１０１２（１０１２Ａ、１０１２Ｂ、１０１２Ｃ）箇所は底面１００８と平行する同一面上に位置するように形成されている。
そして、このように３つの係止片１０１２（１０１２Ａ、１０１２Ｂ、１０１２Ｃ）が設けられることで、各係止片１０１２（１０１２Ａ、１０１２Ｂ、１０１２Ｃ）と、幅方向Ｗの両側に位置する底部１００４の側面１０１６と、本体部１００２が底部１００４に臨む面１０１４とにより長さ方向Ｌに延在する凹部１０１０が幅方向Ｗ両側の底面１００８箇所にそれぞれ３つ形成されている。
これらの係止片１０１２（１０１２Ａ、１０１２Ｂ、１０１２Ｃ）は、ケース１０の底面１００８を電子機器のバッテリー装着部の装着面に合わせケース１０の長さ方向Ｌに該ケース１０をスライドさせることでバッテリー装着部の係止爪に係止しバッテリー装着部においてケース１０の厚さ方向Ｈにおける位置を位置決めするように形成されている。
バッテリー側端子１４は、長さ方向Ｌの一方における端面１０２２および底面１００８の角部の箇所に設けられている。
図1に示すように、バッテリー側端子１４は、ケース１０に組み込まれケース１０の端面１０２２および底面１００８の一部をなす端子ケース１４０２と、端面１０２２および底面１００８にわたり形成された係合溝１４０４と、係合溝１４０４の内部に設けられた接片などで構成されている。
バッテリー側端子１４は、ケース１０の幅方向Ｗに沿って延在する幅と、ケース１０の長さ方向Ｌに沿って延在する長さと、ケース１０の厚さ方向Ｈに沿って延在する厚さを有している。
３つの係止片１０１２（１０１２Ａ、１０１２Ｂ、１０１２Ｃ）のうち２つの係止片１０１２Ａ、１０１２Ｃは、ケース１０の長さ方向Ｌの端部寄りの箇所に設けられ、残りの１つの係止片１０１２Ｂは、バッテリー側端子１４が位置するケース１０の端部寄りに設けられた係止片１０１２Ａに近づいた箇所に設けられている。
【００１２】
本実施例では、２つの係止片１０１２Ａ、１０１２Ｂに対応する底部１００４の側面１０１６箇所に、該側面１０１６から幅方向Ｗの外方に突出する２つの凸部１０１８がそれぞれ設けられ、２つの凸部１０１８は係止片１０１２Ａ、１０１２Ｂよりも小さい突出寸法で形成されている。
２つの凸部１０１８のうち、一方の凸部１０１８によって、係止片１０１２Ａと、本体部１００２が底部１００４に臨む面１０１４と、幅方向Ｗの両側に位置する底部１００４の側面１０１６とが互いに接続され、他方の凸部１０１８によって、係止片１０１２Ｂと、面１０１４と、側面１０１６とが互いに接続されていることから、これら２つの凸部１０１８によって係止片１０１２Ａ、１０１２Ｂの機械的強度を向上する上で有利となっている。
また、残りの１つの係止片１０１２Ｃに対応する底部１００４の側面１０１６箇所でバッテリー側端子１４が設けられた箇所とは反対側の箇所に、凹部１０１０の長さ方向Ｌの端部を塞ぐストッパ壁１０２０が設けられている。ストッパ壁１０２０は、バッテリー装置１００のバッテリー装着部への装着の際、バッテリー装置１００の長さ方向の向きが正規の向きでない場合に、バッテリー装着部の係止爪に当たりバッテリー装置１００の誤った向きでの装着を阻止するものである。
ストッパ壁１０２０により、係止片１０１２Ｃと、面１０１４と、側面１０１６とが互いに接続されていることから、ストッパ壁１０２０によって係止片１０１２Ｃの機械的強度を向上する上で有利となっている。
【００１３】
また、本実施例では、図１に示すように、バッテリー側端子１４が設けられたケース１０の端面１０２２は平坦面として形成されている。
本実施例では、バッテリー側端子１４は、端面１０２２の幅方向Ｗの中央部に設けられている。
識別部１８はバッテリー装置１００の特性を識別するためのもので、本実施例では、識別部１８は、端面１０２２でバッテリー側端子１４の前記幅方向Ｗの両側部の箇所に設けられている。
識別部１８は端面１０２２に開放状に形成された識別用凹部１８０２、１８０４で構成され、識別用凹部１８０２、１８０４は、本実施例では、底面１００８寄りの箇所に設けられ、また、底面１００８に開放状に形成されている。
そして、端面１０２２上における識別用凹部１８０２、１８０４の位置や、断面形状あるいは長さの寸法の少なくとも１つがバッテリー装置１００の特性に基づいて形成され、本実施例では、識別部１８は識別用凹部１８０２の断面形状および長さの寸法がバッテリー装置１００の特性に基づいて形成されている。
【００１４】
なお、本実施例では、図６に示すように、識別用凹部１８０２を構成する面のうち、凹部１０１０に近接している面部分を底面１００８から離れるにつれてバッテリー側端子１４に近づく傾斜面１０４２とすることで、凹部１０１０と識別用凹部１８０２との間の肉厚寸法を確保し係止片１０１２Ａの機械的強度を確保している。
そして、この端面１０２２のバッテリー側端子１４から厚さ方向Ｈに離れた箇所に、厚さ方向Ｈの寸法が均一で、かつ、幅方向Ｗに直線状に延在する凸部１０２４が膨出形成されている。凸部１０２４は、バッテリー側端子１４に対応した箇所でバッテリー側端子１４の少なくとも電極が配置されている部分の長さＸ１よりも大きな寸法の長さＸ２で形成されている。
また、図１に示すように、底面１００８には凹部１０２８が形成され、機銘板１０２６がこの凹部１０２８に貼付され、機銘板１０２６の表面と底面１００８は同一面上か、機銘板１０２６の表面が底面１００８よりもケース１０の内側に位置するように構成されている。凹部１０２８の長さ方向Ｌのうちバッテリー側端子１４と反対側に位置する箇所から長さ方向Ｌに沿って底面１００８と同じ面をなす位置決め凸部１０３０が形成され、この凸部１０３０は機銘板１０２６の位置決め溝１０２７に挿入されている。
【００１５】
また、図４（Ａ）、（Ｂ）に示すように、ケース１０の長さ方向Ｌの両端の端面のうちバッテリー側端子１４と反対側に位置する本体部１００２の端面は底面１００８と直交する平坦な端面１０３２として形成され、バッテリー側端子１４と反対側に位置する底部１００４の端面は前記端面１０３２よりもケース１０の内側に変位した箇所で該端面１０３２と平行する平坦な端面１０３４として形成されている。したがって、ケース１０の長さ方向Ｌでバッテリー側端子１４と反対側に位置する端部の本体部１００２と底部１００４の境の部分にはこれら端面１０３２、１０３４により欠部１０３５が形成されている。
また、図１、図５、図６に示すように、バッテリー側端子１４を幅方向Ｗで挟む底部１００４の底面１００８の両側箇所には２つの識別部１０３６が形成されている。これら識別部１０３６は、厚さ方向Ｈおよび長さ方向Ｌに開放された凹部１０３８として形成され、あるいは、厚さ方向Ｈに開放されかつ長さ方向Ｌに閉塞された凹部１０４０として形成される。識別部１０３６は、電子機器側に設けられた識別手段によって識別され、その識別は、凹部１０３８、１０４０の形状や凹部１０３８の長さ方向Ｌの寸法に基づいてなされる。
なお、凹部１０３８を構成する面のうち、凹部１０１０に近接している面部分を傾斜面１０４２とすることで、凹部１０１０と凹部１０３８との間の肉厚寸法を確保し係止片１０１２Ａの機械的強度を確保している。
【００１６】
次に撮像装置２００について説明する。
図７はバッテリー装置１００が外付けされる撮像装置２００の斜視図、図８は撮像装置２００のバッテリー装着部の拡大図、図９はバッテリー装置１００が取着された状態を示す撮像装置２００の斜視図である。
図７に示すように、撮像装置２００はケース２４と、ケース２４の前部に組み込まれた光学系２６と、該光学系２６で捉えた被写体像を撮像する不図示の撮像素子と、撮像素子で撮像された画像を表示する液晶表示部２８と、撮像素子で撮像された画像を記録媒体に記録および／または再生する不図示の記録再生部と、前記撮像素子、液晶表示部２８、識別用凸部３６、バッテリー装置１００などを含んで構成されている。
ケース２４の後部には、バッテリー装置１００が着脱可能に装着されるバッテリー装着部３０が設けられている。
バッテリー装着部３０は、平坦な装着面３００２と、装着面３００２に設けられた複数の係止爪３００４（３００４Ａ、３００４Ｂ、３００４Ｃ）と、バッテリー側端子１４に接触可能な装着部側端子３２と、装着面３００２に設けられた装着用凸部３４と、識別用凸部３６とを有している。
装着面３００２は、バッテリー装置１００のケース１０の底面１００８の幅に対応した幅と、底面１００８の長さよりも大きな寸法の長さを有し、装着面３００２の周囲から側面３００８が起立されている。
装着部側端子３２は載置面３００２の長さ方向における光学系２６とは反対側の端部に設けられ、バッテリー側端子１４に接続されてバッテリー装置１００の電源を記録再生部に供給する。装着部側端子３２は、本実施例では、図７に示すように、バッテリー側端子１４の係合溝１４０４に挿入される複数の板状の接片で形成されている。
装着用凸部３４は装着面３００２の長手方向で装着部側端子３２とは反対側の箇所に、装着面３００２に対して出没可能に設けられ、載置面３００２から突出する方向に常時付勢され、不図示のロック解除ボタンの操作により載置面３００２の下方に没入するように構成されている。
【００１７】
係止爪３００４（３００４Ａ、３００４Ｂ、３００４Ｃ）はバッテリー装置１００の係止片１０１２に対応した数で設けられ、本実施例では装着面３００２の幅方向の両側箇所にそれぞれ３つずつ設けられ、係止片１０１２（１０１２Ａ、１０１２Ｂ、１０１２Ｃ）に係止可能に形成されている。
各係止爪３００４（３００４Ａ、３００４Ｂ、３００４Ｃ）は、図１０に示すように、載置面３００２から起立する縦壁３００４Ｅと、縦壁３００４Ｅの先端から載置面３００２に平行するように突出する横壁３００４Ｆとを備えている。
３つの係止爪３００４（３００４Ａ、３００４Ｂ、３００４Ｃ）のうち２つの係止爪３００４Ａ、３００４Ｃは、装着面３００２の長さ方向の端部寄りの箇所に設けられ、残りの１つの係止爪３００４Ｂは、装着部側端子３２が位置する装着面３００２の端部寄りに設けられた係止爪３００４Ａに近づいた箇所に設けられている。
【００１８】
そして、ケース１０の幅方向Ｗ及び長さ方向Ｌを装着面３００２の幅方向及び長さ方向に一致させ、バッテリー装置１００のバッテリー側端子１４をバッテリー装着部３０の装着部側端子３２に臨ませるとともに、バッテリー装置１０の底面１００８をバッテリー装着部３０の装着面３００２に臨ませ、バッテリー装置１００の各係止片１０１２（１０１２Ａ、１０１２Ｂ、１０１２Ｃ）が、各係止爪３００４（３００４Ａ、３００４Ｂ、３００４Ｃ）に対して前記長さ方向Ｌに沿ってそれぞれ離間した位置とし、この状態で、バッテリー装置１０の底面１００８をバッテリー装着部３０の装着面３００２に当て付け、バッテリー装置１００をケースの長さ方向でバッテリー側端子１４が装着部側端子３２に近接させる方向にスライドさせる。
これにより、複数の係止爪３００４が対応する凹部１０１０に挿入されて係止片１０１２に係止し、ケース１０の底面１００８が装着面３００２に合わされることで装着面３００２方向へのバッテリー装置１００の動きが規制され、係止爪３００４と係止片１０１２が係止することで装着面３００２から離れる方向へのバッテリー装置１００の動きが規制されるように構成されている。この場合、係止爪３００４と係止片１０１２が係合することで、バッテリー装置１００の装着面３００２方向への動きおよび装着面３００２から離れる方向への動きの双方を規制するようにしてもよい
【００１９】
バッテリー装置１００は、係止爪３００４と係止片１０１２が係止した状態でケース１０の長さ方向Ｌの２つの端面のうちバッテリー側端子１４側の端面１０２２がバッテリー装着部３０の側面３００８に当接し、装着用凸部３４がバッテリー装置１００の欠部１０３５に係合することでケース１０の長手方向の動きが規制され、これによりバッテリー装着部３０におけるバッテリー装置１００の装着状態が得られ、バッテリー装置１００が保持されることになる。
本実施例では、係止爪３００４と係止片１０１２が係止した状態で係止爪３００４の先端と凸部１０１８の先端とが接触し前記幅方向Ｗにおけるバッテリー装置１００の動きが規制されている。この場合、係止爪３００４の先端と凸部１０１８の先端とを接触させずに、バッテリー装置１００のケース１０の側面１００６をバッテリー装着部３０の側面３００８に接触させるなどその他のバッテリー装置１００の箇所とバッテリー装着部３０の箇所を接触させることで前記幅方向Ｗにおけるバッテリー装置１００の動きを規制するようにしてもよい。
そして、バッテリー装置１００がバッテリー装着部３０に装着されることで、バッテリー装置１００のバッテリー側端子１４とバッテリー装着部３０の装着部側端子３２とが接触する。
【００２０】
識別用凸部３６は、バッテリー装着部３０にバッテリー装置１００が装着された状態で、撮像装置２００に使用可能な特性のバッテリー装置１００の識別用凹部１８０２に挿入されるように形成されている。
本実施例では、図８に示すように、識別用凸部３６は、バッテリー側端子１４の幅方向の側方に位置する側面３００８の一箇所に１つ設けられている。より詳細には、識別用凸部３６は側面３００８の装着面３００２寄りの箇所に設けられ、識別用凸部３６が装着面３００２に臨む部分は装着面３００２に連結されており、識別用凸部３６の強度、剛性が確保されている。
【００２１】
バッテリー装置１００がバッテリー装着部３０に装着されると、図１１に示すように、バッテリー装置１００のバッテリー側端子１４側の端面１０２２と、該端面１０２２に対向する撮像装置２００のケース２４箇所（凹部３００６の側面３００８）との間に隙間が形成されることがある。
この場合、凹部３００６の側面３００８に凹溝３０１０を形成しておき、この凹溝にバッテリー装置１００の凸部１０２４を挿入することで前記隙間を凸部１０２４により遮断できる。このため、前記隙間部分から例えば導電性を有する異物などが侵入してバッテリー側端子１４と装着部側端子３２との接続部分に接触することを確実に防止する上で有利となる。
【００２２】
また、図１２に示すように、バッテリー装着部３０に装着された状態のバッテリー装置１００の欠部１０３５に対して接離する方向にスライドし、該欠部１０３５に接近する方向にばねなどの付勢部材により常時付勢されたロック爪２００８をケース２４に設け、該ロック爪２００８が欠部１０３５に係合することでバッテリー装置１００のバッテリー装着部３０からの脱落を防止し、バッテリー装置１００の欠部１０３５とロック爪２００８の係合を解除することで、バッテリー装置１００のバッテリー装着部３０からの取り外しが可能となるように構成することもできる。
この場合、バッテリー装置１００はその欠部１０３５が端面１０３２よりもバッテリー装置１００の内側に変位しているため、ロック爪２００８は、ケース２４の外面よりもケース２４の内側に変位した箇所に設けることができ、撮像装置２００のケース２４の外面から外方に突出させることなくロック爪２００８を構成することができる。したがって、撮像装置２００の小型化を図るとともに、デザイン性を向上させる上で有利となる。
また、この場合、ロック爪２００８の欠部１０３５に係合する箇所が常時バッテリー装置１００の底面１００８に接近する方向に付勢されることになるため、バッテリー装置１００をバッテリー装着部３０に装着する際、あるいは、バッテリー装置１００をバッテリー装着部３０から取り外す際、バッテリー装置１００の底面１００８を装着面３００６に沿ってスライドさせると、前記付勢によって底面１００８向きに突出するロック爪２００８の先端が底面１００８に貼着された機銘板１０２６などのラベル表面に当接し、摩擦により機銘板１０２６などの表面の印刷部分が擦れて消えてしまうおそれがある。
この場合、ロック爪２００８を、その先端が位置決め凸部１０３０に当接するように配設すれば、ロック爪２００８の先端が位置決め凸部１０３０の部分に当接し機銘板１０２６の表面には当接しないので、機銘板１０２６の表面が損傷や汚損を受けにくく機銘板１０２６の表面の印刷部分を保護する上で有利である。この場合、位置決め凸部１０３０は機銘板１０２６の表面と同一面上か、機銘板１０２６の表面よりもケース１０の外側に位置するように設けられていればよい。
【００２３】
また、ケース１００の端面１０２２の位置を基準として、前記長さ方向Ｌに沿って設けられている各凸部１０１８の位置（あるいは各凸部１０１８の有無あるいは各凸部１０１８の数）に基づいてバッテリー装置１００が正規なものであるか否かを判別することもできる。
例えば、図１３に示すように、ケース１００の端面１０２２を基準とする各凸部１０１８の前記長さ方向Ｌに沿った位置を検知するマイクロスイッチなどからなるセンサ３０２、３０４をバッテリー収容室２０に設ける。そして、各センサ３０２、３０４からの検知信号に基づいて各凸部１０１８の位置が正しい位置にあるか否かを判別する判別回路３０６を設ける。
このような構成によれば、判別回路３０６の判別結果に基づいてバッテリー装置１００が正規品と認識された場合のみバッテリー装置１００からの電源供給を許可し、そうでなければバッテリー装置１００からの電源供給を禁止することができ、正規品でないバッテリー装置１００の使用を未然に防止することが可能となる。
また、前述したバッテリー装置１００の識別データを、前記長さ方向Ｌに沿って設けられている各凸部１０１８の位置、あるいは、各凸部１０１８の有無、あるいは、各凸部１０１８の数によって示すことも可能である。
例えば、図９に示した構成によれば、２つのセンサ３０２，３０４のオン、オフの組み合わせによって４種類の識別データを表すことができる。したがって、バッテリー装置１００のケース１０の幅方向の両側に設けられた合計４つの凸部１０１８の位置を検知できるように４つのセンサを設ければ、８通りの識別情報を得ることができることは無論である。
また、センサとして端面１０２２を基準とする各凸部１０１８の前記長さ方向の位置を測定できるものを用いれば、センサによって検知できる識別データの種類をさらに増やすことができることは無論である。
また、バッテリー装置１００が装着される電子機器がバッテリー装置１００に対して充電を行なう充電器であった場合には、該充電器に上述したセンサ３０２、３０４と同様なセンサを１つあるいは複数設け、該センサによりバッテリー装置１００の装着の有無を検知し、該検知動作に応じてバッテリー装置１００に対する充電動作を開始するようにしてもよい。
また、前記センサによって凸部１０１８の位置を判別することでバッテリー装置１００の特性（容量、適切な充電電流の値、あるいは、急速充電が可能か否かなど）を充電器側で判断させることも可能である。
また、図１に示すように、機銘板１０２６の表面と底面１００８は同一面上か、機銘板１０２６の表面が底面１００８よりもケース１０の内側に位置するように構成されるとともに、底面１００８と同じ面をなす位置決め凸部１０３０が機銘板１０２６の位置決め溝１０２７に挿入されているので、バッテリー装置１００をバッテリー装着部３０に対して着脱することで、バッテリー装置１００の底面１００８とバッテリー装着部３０の装着面３００２とが摩擦しても、機銘板１０２６の表面が損傷や汚損を受けにくく機銘板１０２６の表記を保護する上で有利である。
【００２４】
また、図１４に示すように、バッテリー装置１００が傾斜した状態でバッテリー装着部３０に装着されようとした場合には、バッテリー側端子１４が位置するケース１００の端部寄りに設けられた係止片１０１２Ａが、装着部側端子３２寄りに位置する係止爪３００４Ａに係止するものの、前記係止片１０１２Ａに近づいた箇所に設けられた係止片１０１２Ｂが係止爪３００４Ｂに当接されることでバッテリー装置１００が装着面３００２となす傾斜角度、すなわちバッテリー装置１００のケース１０の底面１００８とバッテリー装着部３０の装着面３００２がなす角度が大きなものとなる。
したがって、バッテリー装置１００の装着状態が不完全なものであることを瞬時に判別でき、バッテリー装置１００を確実に装着する上で有利である。
本実施例では、係止片１０１２Ｂを、装着部側端子３２寄りに位置する係止爪３００４Ａに近づけて配置したので、バッテリー装置１００の装着状態が不完全である場合の装着面３００２に対するバッテリー装置１００の傾きが大きくなり、バッテリー装置１００の装着状態が不完全なものであることがより一層簡単に判別できる。
なお、装着面３００２に対するバッテリー装置１００の角度が１０度以上あると、バッテリー装置１００の傾斜を瞬時に判別できる。
また、図１０において、撮像装置２００の係止爪３００４のうち、装着部側端子３２寄りの係止爪３００４Ａの長さ方向の寸法を他の２つの係止爪３００４Ｂ、３００４Ｃの長さ方向の寸法よりも小さく設定することによって次のような効果を奏することができる。
すなわち、バッテリー装置１００のバッテリー装着部３０に対する装着が不完全であった場合、すなわち、バッテリー側端子１４が位置するケース１００の端部寄りに設けられた係止片１０１２Ａが、装着部側端子３２寄りに位置する係止爪３００４Ａに係止するものの、他の２つの係止片１０１２Ｂ、１０１２Ｃが係止爪３００４Ｂ、３００４Ｃに係止しない状態であった場合、バッテリー装置１００の自重によりバッテリー装置２００が装着面３００２から離間する方向に傾斜するが、この傾斜角度は装着部側端子３２寄りの係止爪３００４Ａの長さ方向の寸法を短く設定するほど顕著になる。これにより、上述と同様に、バッテリー装置１００の装着状態が不完全である場合の装着面３００２に対するバッテリー装置１００の傾きが大きくなり、バッテリー装置１００の装着状態が不完全なものであることがより一層簡単に判別できる。
【００２５】
次に本実施例の効果について説明する。
本実施例のバッテリー装置１００および撮像装置２００によれば、バッテリー装置１００に該バッテリー装置１００の特性に基づいた識別用凹部１８０２、１８０４が設けられ、バッテリー装着部３０に該撮像装置２００に使用可能な特性のバッテリー装置１００の識別用凹部１８０２に挿入される識別用凸部３６が設けられている。
したがって、撮像装置２００に使用可能な特性のバッテリー装置１００のバッテリー装着部３０に対する装着は識別用凹部１８０２に識別用凸部３６が挿入されることで許容される。
一方、撮像装置２００に使用可能な特性を有しないバッテリー装置１００の識別用凹部１８０２は、識別用凸部３６が挿入されないため、撮像装置２００に使用可能な特性を有しないバッテリー装置１００のバッテリー装着部３０に対する装着は識別用凹部１８０２に識別用凸部３６が挿入されないことで禁止される。
このため、撮像装置２００に対応する特性を有するバッテリー装置１００を適切に装着することができる。例えば、消費電流の大きな撮像装置２００には該消費電流に対応できる大容量を有するバッテリー装置１００の装着を許容するとともに、前記消費電流に対応できない小容量を有するバッテリー装置１００の装着を禁止することができる。あるいは、消費電流の小さな撮像装置２００には該消費電流に対応する小容量から大容量を有するバッテリー装置１００の装着を許容することができる。
そして、バッテリー装置１００においては、ケース１０の長手方向の端部である端面の内側箇所でバッテリー側端子１４の幅方向の両側部分は、基板や電子部品が配置されていないデッドスペースとなっていることから、ケース１０の端面に識別用凹部１８０２を設けてもケース１０を大型化することはなく、したがってバッテリー装置１００の小型化を図る上での支障にはならない。より詳細に説明すると、バッテリー側端子１４の厚さ方向でケース１０の底面１００８とは反対側に位置する端面は、ケース１０の内部に位置しており、この端面の箇所には制御回路基板１６に接続するリード線が位置するものの、ケース１０の底面１００８寄りでバッテリー側端子１４の幅方向両側の箇所およびバッテリー側端子１４の厚さ方向の中間部でバッテリー側端子１４の幅方向両側の箇所は無論のこと、ケース１０の内部に位置するバッテリー側端子１４の端面寄りでバッテリー側端子１４の幅方向両側の箇所は何も部品、部材が配置されていないデッドスペースとなっているので、識別用凹部１８０２を設けてもケース１０を大型化することはなく、したがってバッテリー装置１００の小型化を図る上での支障にはならない。
また、撮像装置２００のバッテリー装着部３０に設けた識別用凸部３６はバッテリー装置１０の識別用凹部１８０２に挿入される形状であればよいので、バッテリー装置１００と同様に撮像装置２００の小型化を図る上での支障にはならない。
なお、実施例では識別用凹部１８０２を端面および底面に開放状に形成した場合について説明したが、底面側は閉塞するようにしてもよい。ただし、実施例のように識別用凹部１８０２を端面および底面に開放状に形成すると、識別用凸部３６を装着面１００８と側面３００８の双方に連結しつつ形成できるので、識別用凸部３６の強度を維持する上で有利となる。
【００２６】
図１５、図１６を参照してより詳細に説明する。
図１５、図１６はバッテリー装置１００の識別部１８の識別用凹部１８０２、１８０４と撮像装置２００の識別用凸部３６の関係を示す説明図である。なお、図１５（Ａ）〜（Ｄ）および図１６（Ａ）〜（Ｄ）はバッテリー装着部３０の装着部側端子３２および識別用凸部３６の透視図、図１５（Ａ１）〜（Ｄ１）および図１６（Ａ２）〜（Ｄ２）はバッテリー装着部３０にバッテリー装置１００が装着された状態の透視図、図１６（Ａ３）〜（Ｄ３）ははバッテリー装着部３０にバッテリー装置１００が装着された状態の透視図、図１５（Ｅ１）、図１６（Ｅ２）、図１６（Ｅ３）はバッテリー装置１００の側面図を示す。
図１５（Ｅ１）、図１６（Ｅ２）、（Ｅ３）は互いに異なる特性を有する３種類のバッテリー装置１００（１００Ａ、１００Ｂ、１００Ｃ）の図であり、それぞれ幅は均一であるが、これらの順番で容量が大きくなり厚さが大きくなっており、識別用凹部１８０２、１８０４の個数および長さが異なっている。
図１５（Ａ）、（Ｂ）、（Ｃ）、（Ｄ）、図１６（Ａ）、（Ｂ）、（Ｃ）、（Ｄ）はバッテリー装置１００が取着される撮像装置２００の４種類のバッテリー装着部３０の部分を示す図であり、これら４種類のバッテリー装着部３０はそれぞれ装着可能なバッテリー装置１００の種類が異なっており、識別用凸部３６の個数および高さが異なっている。
そして、図１５（Ａ１）、（Ｂ１）、（Ｃ１）、（Ｄ１）はバッテリー装置１００Ａが４種類のバッテリー装着部３０に装着される状態を示しており、図１６（Ａ２）、（Ｂ２）、（Ｃ２）、（Ｄ２）はバッテリー装置１００Ｂが４種類のバッテリー装着部３０に装着される状態を示しており、図１６（Ａ３）、（Ｂ３）、（Ｃ３）、（Ｄ３）はバッテリー装置１００Ｃが４種類のバッテリー装着部３０に装着される状態を示している。
【００２７】
図１５（Ａ）、（Ｂ）、（Ｃ）、（Ｄ）、図１６（Ａ）、（Ｂ）、（Ｃ）、（Ｄ）に示すように、バッテリー装着部３０の装着部側端子３２の側部には、単一の識別用凸部３６が設けられているものと、装着部側端子３２の両側にそれぞれ識別用凸部３６が設けられ合計２つの識別用凸部３６が設けられているものがあり、バッテリー装着部３０によって同じ長さで長さの大きい２つの識別用凸部３６を備えるものや、同じ長さで長さの小さい２つの識別用凸部３６を備えるものや、長さの異なる２つの識別用凸部３０を備えるものがある。
したがって、例えばバッテリー装着部３０Ａについて見てみると、２つの識別用凸部３６、３６のうち一方の識別用凸部３６は長さが大きく、他方の識別用凸部３６は長さが小さく形成されている。
また、図１５（Ａ１）、図１６（Ａ２）、（Ａ３）に示すように、各バッテリー装置１００では、２つの識別用凹部のうち一方が閉塞されているもの、２つの識別用凹部１８０２、１８０４の双方が開放されているものがあり、バッテリー装置１００によって同じ長さで長さの大きい２つの識別用凹部１８０２、１８０４を備えるものや、同じ長さで長さの小さい２つの識別用凹部１８０２、１８０４を備えるものや、長さの異なる２つの識別用凹部１８０２、１８０４を備えるものがある。
したがって、例えばバッテリー装置１００Ａについて見てみると、２つの識別用凹部のうち一方の識別用凹部１８０２は長さが小さく、他方の識別用凹部１８０４は閉塞されている。
【００２８】
このため、バッテリー装置１００Ａの場合は、図１５（Ａ１）、（Ｂ１）のように閉塞された識別用凹部１８０４に対応する箇所に識別用凸部３６が位置している場合にはバッテリー装置１００Ａの装着が禁止される。一方、図１５（Ｃ１）に示すように、開放された識別用凹部１８０２に対応して識別用凸部３６が設けられ、識別用凸部３６の長さと識別用凹部１８０２の長さが同じかあるいは識別用凸部３６の長さが識別用凹部１８０２の長さよりも小さいときにバッテリー装置１００Ａの装着が許容される。また、図１５（Ｄ１）に示すように、開放された識別用凹部１８０２に対応した箇所に識別用凸部３６が設けられていない場合にもバッテリー装置１００Ａの装着が許容される。
また、バッテリー装置１００Ｂ、１００Ｃの場合は、バッテリー装置１００Ａの場合と同様に、識別用凹部１８０２、１８０４の長さと、識別用凸部３６の長手方向の寸法と、識別用凸部３６のあるなしの組み合わせにより、装着が許容される撮像装置２００の種類が定まる。
【実施例２】
【００２９】
次に本発明の実施例２について図面を参照して説明する。
実施例２が実施例１と異なるのは、電子機器が充電器であり、バッテリー装置１００の識別部１８を検出する検出手段が設けられている点である。
図１７、図１８はそれぞれ容量や充電する際に供給される充電電流の値が異なる４種類のバッテリー装置１００（１００Ａ、１００Ｂ、１００Ｃ、１００Ｄ）が電子機器としての充電器４００に装着された状態を示す説明図である。
図１９はバッテリー装置１００および電子機器としての充電器４００の構成を示すブロック図である。以下では、実施例１と同一または同様の部分には同一の符号を付してその説明を省略する。
なお、図１７（Ａ）、（Ｂ）および図１８（Ｃ）、（Ｄ）はバッテリー側端子１４の透視図、図１７（Ａ１）、（Ｂ１）は充電器４００のバッテリー装着部に装着された状態における図１７（Ａ）、（Ｂ）のＸ１矢視図、図１７（Ａ２）、（Ｂ２）は前記充電器のバッテリー装着部に装着された状態における図１７（Ａ）、（Ｂ）のＸ２矢視図、図１８（Ｃ１）、（Ｄ１）は充電器のバッテリー装着部に装着された状態における図１８（Ｃ）、（Ｄ）のＸ１矢視図、図１８（Ｃ２）、（Ｄ２）は前記充電器のバッテリー装着部に装着された状態における図１８（Ａ）、（Ｂ）のＸ２矢視図である。
【００３０】
充電器４００のバッテリー装着部３０（図１７、図１８）には、該バッテリー装着部にバッテリー装置１００が装着された状態で、バッテリー側端子１４に接続する装着部側端子（不図示）と、バッテリー装置１００の識別用凹部１８０２、１８０４の位置または断面形状または長さの寸法の少なくとも１つを検出する検出手段４０（図１９）が設けられている。
本実施例では、検出手段４０として、２つの識別用凹部１８０２、１８０４に臨むバッテリー装着部３０の箇所にマイクロスイッチなどからなるセンサ４０２、４０４（図１７、図１８）がそれぞれ設けられている。
２つのセンサ４０２、４０４のうち一方のセンサ４０２は一方の識別用凹部１８０２の長さが小さい場合に識別部１８を構成するケース１０部分で押圧され、識別用凹部１８０２の長さが大きい場合に識別部１８を構成するケース１０部分で押圧されない位置に設けられており、したがって、識別用凹部１８０２の長さ方向の寸法が長いか、短いかを検出し、その検出結果を制御部３０８に与えるように構成されている。
２つのセンサ４０２、４０４のうち他方のセンサ４０４は他方の識別用凹部１８０４が無い場合に識別部１８を構成するケース１０部分で押圧動作され、識別用凹部１８０４が有る場合に識別部１８を構成するケース１０部分で押圧されない位置に設けられており、したがって、識別用凹部１８０２の有り、無しを検出し、その検出結果を制御部３０８に与えるように構成されている。
また、図１７（Ａ）、（Ｂ）、図１８（Ｃ）、（Ｄ）に示すように、実施例１と同様に、各バッテリー装置１００では、２つの識別用凹部のうち一方が閉塞されているもの、２つの識別用凹部１８０２、１８０４の双方が開放されているものがあり、バッテリー装置１００によって同じ長さで長さの大きい２つの識別用凹部１８０２、１８０４を備えるものや、同じ長さで長さの小さい２つの識別用凹部１８０２、１８０４を備えるものや、長さの異なる２つの識別用凹部１８０２、１８０４を備えるものがある。
したがって、例えばバッテリー装置１００Ａについて見てみると、２つの識別用凹部のうち一方の識別用凹部１８０２は長さが小さく、他方の識別用凹部１８０４は閉塞されている。
【００３１】
図１９に示すように、バッテリー装置１００は、バッテリー側端子１４、充電池部１２０２、制御回路基板１６、識別部１８を有している。
充電器４００は、装着部側端子３２、検出手段４０、充電部３０６、制御部３０８を有している。
充電部３０６は、装着部側端子３２およびバッテリー側端子１４を介してバッテリー装置１００の充電部１２０２に充電電流を供給し該充電部１２０２の充電を行うように構成されている。
制御部３０８は、装着部側端子３２およびバッテリー側端子１４を介してバッテリー装置１００の制御回路基板１６とデータ通信を行い、該制御回路基板１６からバッテリー装置１００のバッテリー装置１４の特性を示す識別データを受信するように構成されている。
また、制御部３０８は、制御部３０８は検出手段１８の検出結果に基づいてバッテリー装置１００の特性を判別し、その判別結果に応じて前記充電電流の制御を行うように構成されている。具体的には、充電部３０６を制御することにより、前記充電電流の値やその供給時間の調整を行うように構成されており、本実施例では、充電電流を、通常充電電流、急速充電電流、超急速充電電流の３段階に調整可能に構成されている。なお、通常充電電流、急速充電電流、超急速充電電流はこの順番で電流値が大きくなるように設定されている。
【００３２】
次に本実施例の作用効果について説明する。
充電器４００のバッテリー装着部３０にバッテリー装置１００が装着されると、検出手段１８によってバッテリー装置１００の識別用凹部１８の有無（断面形状）および識別用凹部１８の長さの寸法の検出結果が制御部３０８に与えられる。これにより、制御部３０８は前記検出結果に基づいてバッテリー装置１００の種類を判別し、該判別したバッテリー装置１００の特性に対応する適切な充電電流が充電池部１２０２に供給されるように充電部３０６の制御を行う。具体的には、充電電流として、通常充電電流、急速充電電流、超急速充電電流のいずれかが設定される。
したがって、充電器４００にバッテリー装置１００を装着するだけで、該装着されたバッテリー装置１００の特性に対応した適切な充電動作を行うことができ、ユーザーは特別な操作をする必要がないため、充電器４００の使い勝手を高める上で有利となる。
【００３３】
ところで、前述したようにバッテリー装置１００の制御回路基板１６は該バッテリー装置１００自身の特性、すなわち容量、適切な充電電流の値、あるいは、充電電流として通常充電電流、急速充電電流、超急速充電電流のいずれが適用可能であるかを示す識別データを保持しており、該識別データを充電器４００の制御部３０８に送信することができる。
このため、検出手段１８によるバッテリー装置１００の判別と、前記識別データによるバッテリー装置１００の判別の双方を行うことにより、以下に説明するように、バッテリー装置１００に対してより確実に適切な充電電流を供給することが可能となる。
図２０は実施例２の変形例における充電動作を示すフローチャートである。
まず、充電器４０にバッテリー装置１００が装着されると、制御部３０８は、検出手段４０の検出結果に基づいてバッテリー装置１００の特性を判別する（ステップＳ１０）。
また、制御部３０８は、バッテリー装置１００の制御回路基板１６とデータ通信を行うことによりバッテリー装置１００の前記識別データを受信し、該受信した識別データに基づいてバッテリー装置１００の特性を判別する（ステップＳ１２）。
制御部３０８は、これら２つの判別結果が急速充電可能であるという判別結果で一致するか、一致しないかを判定する（ステップＳ１４）。
ステップＳ１４の判定結果が肯定（“Ｙ”）ならば、制御部３０８は急速充電による充電を行うように充電部３０６を制御する（ステップＳ１６）。
ステップＳ１４の判定結果が否定（“Ｎ”）ならば、制御部３０８は通常充電による充電を行うように充電部３０６を制御する（ステップＳ１８）。
このように、検出手段４０による判別結果と、前記識別データによる判別結果とが一致した場合にのみ急速充電がなされるので、識別部１８が正しく構成されていないバッテリー装置１００、すなわち正規品でないバッテリー装置１００が充電器４００に装着されたとしても、通常充電の動作のみが許容され、通常充電に比較して大きな充電電流がバッテリー装置１００に供給される急速充電の動作は禁止されるので、バッテリー装置１００や充電器４００に負担がかからず、適切な充電動作を行う上で有利となる。
【００３４】
なお、上述した各実施例では、バッテリー装置１００の識別部１８として２つの識別用凹部１８０２、１８０４を設けたが、識別用凹部は単一あるいは３つ以上設けてもよい。また、識別用凹部の長さを３種類以上に異ならせてもよい。また、上述した各実施例では、識別用凹部の有無（断面形状）および長さの寸法を異ならせたが、識別用凹部の位置、例えばケース１００の幅方向Ｗに沿った方向における識別用凹部の位置を異ならせてもよい。これらの場合、識別用凹部の有無を含む断面形状、識別用凹部の長さ方向の寸法、識別用凹部の位置に対応してバッテリー装着部側の識別用凸部を設けることはもちろんである。
【００３５】
また、上述した各実施例によるバッテリー装置１００は次のように構成されているということもできる。
すなわち、バッテリー装置１００はケース１０を有している。ケース１０は、その長さ方向Ｌの両端に位置する２つの端面１０２２，１０３２と、これら２つの端面１０２２，１０３２を接続する側面１００６とを有し、２つの端面１０２２，１０３２のうちの一方の端面１０２２と該端面１０２２に接続された側面１００６との少なくとも一方に臨むようにバッテリー側端子１０１４が設けられている。側面１００６には、複数の凹部１０１０からなる前記長さ方向Ｌに延在する誤挿入防止用溝が形成され、前記長さ方向Ｌのうちバッテリー側端子１０１４側を前方、その反対方向を後方とした場合、前記誤挿入防止用溝はその長さ方向Ｌの両端のうちバッテリー側端子１０１４寄りの箇所（前端箇所）が開放され、その反対側の箇所（後端箇所）が閉塞されている。そして、前記誤挿入防止用溝にはケース１０の外方に膨出する１つの凸部１０１８が形成されているか、あるいは、２つ以上の凸部１０１８が前記長さ方向Ｌに間隔をおいて形成されている。
このような構成によれば、図１３において説明したように、凸部１０１８の長さ方向Ｌの位置、あるいは、凸部１０１８の有無、あるいは、凸部１０１８の数などによってバッテリー装置１００の識別データを示すことができる。この場合、凸部１０１８はケース１０の外方に膨出しているため、ケース１０内部のスペースを占有することが無く、ケース１０の内部に部品収容用のスペースを確保する上で、あるいは、ケース１０の小型化を図る上で有利となり、バッテリー装置１００の設計の自由度を向上させる上でも有利となる。
また、本実施例のバッテリー装置１００は、ケース１０を幅方向Ｗで挟み互いに対向する２つの側面１００６箇所のそれぞれに前記誤挿入防止用溝を設けている。この場合、２つの誤挿入防止用溝を各溝に対応する突起に係合させることで前記厚さ方向Ｈにおける前記ケースの位置を位置決めでき、前記誤挿入防止用溝を位置決め用の溝として機能させることができる。
このような構成によれば、バッテリー装置１００が前記長さ方向Ｌに沿って挿入されることで該バッテリー装置１００を収容するバッテリー収容室を設けた場合、該バッテリー収容室内に前記各突起を設け、これら各突起に前記２つの誤挿入防止用溝を係合させることで前記厚さ方向Ｈの寸法が異なるバッテリー装置を前記バッテリー収容室内で位置決めして収容することができる。
また、本実施例のバッテリー装置１００は、複数の係止片１０１２（１０１２Ａ，１０１２Ｂ、１０１２Ｃ）と、これら複数の係止片１０１２（１０１２Ａ，１０１２Ｂ、１０１２Ｃ）のそれぞれに臨む側面１０１６箇所と、これら複数の係止片１０１２（１０１２Ａ，１０１２Ｂ、１０１２Ｃ）のそれぞれに臨む面１０１４の箇所とによって複数の凹部１０１０が形成されており、これら複数の凹部１０１０により前記誤挿入防止用溝を構成することができる。
また、本実施例のバッテリー装置１００は、複数の係止片１０１２（１０１２Ａ，１０１２Ｂ、１０１２Ｃ）のそれぞれに接続して凸部１０１８が設けられており、各凸部１０１８が複数の係止片１０１２（１０１２Ａ，１０１２Ｂ、１０１２Ｃ）のそれぞれに接続されている箇所は、前記長さ方向Ｌのうち、バッテリー装置１００をバッテリー装着部３０に装着する際にバッテリー装置１００を動かす（スライドさせる）方向寄りの箇所（バッテリー側端子寄りの箇所）である。
このような構成によれば、これら各係止片１０１２（１０１２Ａ，１０１２Ｂ、１０１２Ｃ）と、複数の係止爪３００４（３００４Ａ、３００４Ｂ、３００４Ｃ）とを係脱する際に、係止片１０１２Ａと係止爪３００４Ａとの間、係止片１０１２Ｂと係止爪３００４Ｂの間、係止片１０１２Ｃと係止爪３００４Ｃとの間に、前記長さ方向Ｌにおける間隔がそれぞれ確保されることになる。このため、複数の係止片１０１２（１０１２Ａ，１０１２Ｂ、１０１２Ｃ）と、複数の係止爪３００４（３００４Ａ、３００４Ｂ、３００４Ｃ）とが互いに係脱する際、各係止爪３００４と各凸部１０１８との干渉が生じにくく、バッテリー装置１００の装着、取り外しを円滑に行う上で有利となる。
【００３６】
また、各実施例においては、例えばバッテリー装着部３０の係止爪３００４にバッテリー装置１００の係止片１０１２を係止させることによって、バッテリー装置１００が電子機器のケースの外面に装着される外付型として説明した。
しかしながら、本発明はこれに限定されるものではなく、電子機器にバッテリー装置が収容されるバッテリー収容室を設け、バッテリー収容室は、バッテリー装置１００のケース１０の幅方向に対応する幅と、ケース１０の厚さに対応する高さと、ケース１０の長さに対応する深さと、バッテリー装置１００が前記長さ方向を前記深さ方向に平行させて挿入された状態でバッテリー側端子１４に接触する収容室側端子（装着部側端子に相当）とを備え、該バッテリー収容室にバッテリー装置１００が収容されることで装着される、いわゆる内蔵型であっても、本発明は無論適用可能である。
また、各実施例においては、電子機器として撮像装置および充電器を例示したが、本発明はバッテリー装置を用いて動作する種々の電子機器に無論適用可能である。
【図面の簡単な説明】
【００３７】
【図１】実施例１のバッテリー装置を下方から見た斜視図である。
【図２】実施例１のバッテリー装置の構成を示す分解斜視図である。
【図３】バッテリー装置１００の説明図である。
【図４】バッテリー装置１００の説明図である。
【図５】図３の要部拡大図である。
【図６】識別部１０３６近傍の拡大斜視図である。
【図７】バッテリー装置１００が外付けされる撮像装置２００の斜視図である。
【図８】撮像装置２００のバッテリー装着部の拡大図である。
【図９】バッテリー装置１００が取着された状態を示す撮像装置２００の斜視図である。
【図１０】バッテリー装置１００とバッテリー装着部との取付け説明図である。
【図１１】バッテリー装置１００とバッテリー装着部３０の取付状態を示す説明図である。
【図１２】ロック機構の説明図である。
【図１３】凸部１０１８の判別回路を示すブロック図である。
【図１４】バッテリー装置１００がバッテリー装着部３０に対して傾斜して装着される状態を示す説明図である。
【図１５】バッテリー装置１００の識別部１８の識別用凹部１８０２、１８０４と撮像装置２００の識別用凸部３６の関係を示す説明図である。
【図１６】バッテリー装置１００の識別部１８の識別用凹部１８０２、１８０４と撮像装置２００の識別用凸部３６の関係を示す説明図である。
【図１７】容量や充電する際に供給される充電電流の値が異なる４種類のバッテリー装置１００（１００Ａ、１００Ｂ、１００Ｃ、１００Ｄ）が電子機器としての充電器４００に装着された状態を示す説明図である。
【図１８】容量や充電する際に供給される充電電流の値が異なる４種類のバッテリー装置１００（１００Ａ、１００Ｂ、１００Ｃ、１００Ｄ）が電子機器としての充電器４００に装着された状態を示す説明図である。
【図１９】バッテリー装置１００および充電器４００の構成を示すブロック図である。
【図２０】実施例２の変形例における充電動作を示すフローチャートである。
【符号の説明】
【００３８】
１００……バッテリー装置、１０……ケース、１２……充電池部、１４……バッテリー側端子、１８……識別部、１００８……底面、１０２２……端面、１８０２、１８０４……識別用凹部、２００……撮像装置、３０……バッテリー装着部、３２……装着部側端子、３６……識別用凸部、３００２……装着面、４０……検出手段、４００……充電器。
【図１】
2005190943.tif 000003
【図２】
2005190943.tif 000004
【図３】
2005190943.tif 000005
【図４】
2005190943.tif 000006
【図５】
2005190943.tif 000007
【図６】
2005190943.tif 000008
【図７】
2005190943.tif 000009
【図８】
2005190943.tif 000010
【図９】
2005190943.tif 000011
【図１０】
2005190943.tif 000012
【図１１】
2005190943.tif 000013
【図１２】
2005190943.tif 000014
【図１３】
2005190943.tif 000015
【図１４】
2005190943.tif 000016
【図１５】
2005190943.tif 000017
【図１６】
2005190943.tif 000018
【図１７】
2005190943.tif 000019
【図１８】
2005190943.tif 000020
【図１９】
2005190943.tif 000021
【図２０】
2005190943.tif 000022